(57)【要約】【課題】  紙載せ面に囲まれた突き合せエッジの発生が防止されるか、または少なくとも、このような突き合せエッジが被印刷体枚葉紙に及ぼす不利な影響が許容可能な程度にまで抑えられるように、バリオドラムのドラム断面形状を変える。【解決手段】  バリオドラム８０１の外套切片８０６ａ，８０６ｂは内方および外方に向かって選択的に揺動する。外套切片８０６ａ，８０６ｂに付属する紙載せ部材８０７ａ，８０７ｂを、外套切片８０６ａ，８０６ｂの揺動によって可逆的に変形させる。【選択図】  図８
2004203045.tif 000002
【特許請求の範囲】
【請求項１】
バリオドラム（１０１；２０１；３０１；４０１；５０１；６０１；７０１；８０１）の外套切片（１０６ａ，１０６ｂ；２０６ａ，２０６ｂ；３０６ａ，３０６ｂ；４０６ａ，４０６ｂ；５０６ａ，５０６ｂ；６０６ａ，６０６ｂ；７０６ａ，７０６ｂ；８０６ａ，８０６ｂ）が内方および外方に向かって選択的に揺動する、被印刷体枚葉紙を搬送するためのバリオドラム（１０１；２０１；３０１；４０１；５０１；６０１；７０１；８０１）のドラム断面形状を変える方法において、
前記外套切片（１０６ａ，１０６ｂ；２０６ａ，２０６ｂ；３０６ａ，３０６ｂ；４０６ａ，４０６ｂ；５０６ａ，５０６ｂ；６０６ａ，６０６ｂ；７０６ａ，７０６ｂ；８０６ａ，８０６ｂ）に付属する紙載せ部材（１０７ａ，１０７ｂ；２０７ａ，２０７ｂ；３０７ａ，３０７ｂ；４０７ａ，４０７ｂ；５０７ａ，５０７ｂ；６０７ａ，６０７ｂ；７０７ａ，７０７ｂ；８０７ａ，８０７ｂ）を、前記外套切片（１０６ａ，１０６ｂ；２０６ａ，２０６ｂ；３０６ａ，３０６ｂ；４０６ａ，４０６ｂ；５０６ａ，５０６ｂ；６０６ａ，６０６ｂ；７０６ａ，７０６ｂ；８０６ａ，８０６ｂ）の揺動によって可逆的に変形させることを特徴とする、バリオドラムのドラム断面形状を変える方法。
【請求項２】
ドラム断面形状が、内方に向かって行われる前記外套切片（１０６ａ，１０６ｂ；２０６ａ，２０６ｂ；３０６ａ，３０６ｂ；４０６ａ，４０６ｂ；５０６ａ，５０６ｂ；６０６ａ，６０６ｂ；７０６ａ，７０６ｂ；８０６ａ，８０６ｂ）の揺動によって円形でなくなるように設定され、外方に向かって行われる前記外套切片（１０６ａ，１０６ｂ；２０６ａ，２０６ｂ；３０６ａ，３０６ｂ；４０６ａ，４０６ｂ；５０６ａ，５０６ｂ；６０６ａ，６０６ｂ；７０６ａ，７０６ｂ；８０６ａ，８０６ｂ）の揺動によって円形になるように設定される、請求項１に記載の方法。
【請求項３】
請求項１または２に記載の方法を実施するために、ドラム断面形状と、これを変えるために内方および外方に向かって選択的に揺動可能に支持された外套切片（１０６ａ，１０６ｂ；２０６ａ，２０６ｂ；３０６ａ，３０６ｂ；４０６ａ，４０６ｂ；５０６ａ，５０６ｂ；６０６ａ，６０６ｂ；７０６ａ，７０６ｂ；８０６ａ，８０６ｂ）とを備える、被印刷体枚葉紙を搬送するためのバリオドラムにおいて、
前記外套切片（１０６ａ，１０６ｂ；２０６ａ，２０６ｂ；３０６ａ，３０６ｂ；４０６ａ，４０６ｂ；５０６ａ，５０６ｂ；６０６ａ，６０６ｂ；７０６ａ，７０６ｂ；８０６ａ，８０６ｂ）に、前記外套切片（１０６ａ，１０６ｂ；２０６ａ，２０６ｂ；３０６ａ，３０６ｂ；４０６ａ，４０６ｂ；５０６ａ，５０６ｂ；６０６ａ，６０６ｂ；７０６ａ，７０６ｂ；８０６ａ，８０６ｂ）の揺動によって可逆的に変形可能なように構成、配置された紙載せ部材（１０７ａ，１０７ｂ；２０７ａ，２０７ｂ；３０７ａ，３０７ｂ；４０７ａ，４０７ｂ；５０７ａ，５０７ｂ；６０７ａ，６０７ｂ；７０７ａ，７０７ｂ；８０７ａ，８０７ｂ）が付属していることを特徴とするバリオドラム。
【請求項４】
前記紙載せ部材（１０７ａ，１０７ｂ；２０７ａ，２０７ｂ；３０７ａ，３０７ｂ；４０７ａ，４０７ｂ；５０７ａ，５０７ｂ；６０７ａ，６０７ｂ；７０７ａ，７０７ｂ；８０７ａ，８０７ｂ）が曲げ弾性があり、板ばねに似ている、請求項３に記載のバリオドラム。
【請求項５】
前記紙載せ部材（７０７ａ，７０７ｂ；８０７ａ，８０７ｂ）が、前記外套切片（７０６ａ，７０６ｂ；８０６ａ，８０６ｂ）が内方に向かって揺動しているときには特定の部位で凹面状であり、前記外套切片（７０６ａ，７０６ｂ；８０６ａ，８０６ｂ）が外方に向かって揺動しているときには前記部位で凸面状である、請求項３または４に記載のバリオドラム。
【請求項６】
前記紙載せ部材（１０７ａ，１０７ｂ；２０７ａ，２０７ｂ）が柔軟であり、胴張りに似ている、請求項３に記載のバリオドラム。
【請求項７】
前記紙載せ部材（１０７ａ，１０７ｂ；２０７ａ，２０７ｂ）がばね（１１９，２２１）によって荷重をかけられている、請求項３または６に記載のバリオドラム。
【請求項８】
前記紙載せ部材（１０７ａ，１０７ｂ；２０７ａ，２０７ｂ；３０７ａ，３０７ｂ；４０７ａ，４０７ｂ；５０７ａ，５０７ｂ；６０７ａ，６０７ｂ；７０７ａ，７０７ｂ；８０７ａ，８０７ｂ）が前記外套切片（１０６ａ，１０６ｂ；２０６ａ，２０６ｂ；３０６ａ，３０６ｂ；４０６ａ，４０６ｂ；５０６ａ，５０６ｂ；６０６ａ，６０６ｂ；７０６ａ，７０６ｂ；８０６ａ，８０６ｂ）を外側で覆うように配置されている、請求項３から７までのいずれか１項に記載のバリオドラム。
【請求項９】
前記紙載せ部材（１０７ａ，１０７ｂ；２０７ａ，２０７ｂ；３０７ａ，３０７ｂ；４０７ａ，４０７ｂ；５０７ａ，５０７ｂ；６０７ａ，６０７ｂ；７０７ａ，７０７ｂ；８０７ａ，８０７ｂ）が自立式の変形区域（５１１ａ，５１１ｂ；６１１ａ，６１１ｂ；７１１ａ，７１１ｂ；８１１ａ，８１１ｂ；）を有しており、この変形区域によってドラム断面形状が規定される、請求項３から８までのいずれか１項に記載のバリオドラム。
【請求項１０】
枚葉紙処理機械、特に枚葉印刷機において、請求項３から９までのいずれか１項に基づいて構成されたバリオドラム（１０１；２０１；３０１；４０１；５０１；６０１；７０１；８０１）を備えている枚葉紙処理機械。
【発明の詳細な説明】
【技術分野】
【０００１】
本発明は、バリオドラム（Vａｒｉｏ−Ｔｒｏｍｍｅｌ）の外套切片（Ｍａｎｇｅｌｓｅｇｍｅｎｔ）が内方および外方に向かって選択的に揺動する、被印刷体枚葉紙を搬送するためのバリオドラムのドラム断面形状を変える方法に関するものであり、さらに、ドラム断面形状と、これを変えるために内方および外方に向かって選択的に揺動可能に支持された外套切片とを備える、被印刷体枚葉紙を搬送するためのバリオドラムに関するものである。
【背景技術】
【０００２】
同一の枚葉紙搬送胴によって、不安定な紙シートでも安定した板紙シートでも裏移りなく運べるようにするために、たとえば特許文献１や特許文献２などで、これまですでに種々のバリオドラムが提案されている。このようなバリオドラムのドラム断面形状は、選択的に、紙シートを運ぶために円形に設定したり、板紙シートを運ぶために、たとえば楕円形や実質的に三角形になるように細く設定することができる。
【０００３】
この関連で、容易には両立させることができない、バリオドラムが満たすべき２つの要件がある。１つ目として、板紙シートの後端に近い紙面が外套切片とぶつからないようにするためには、外套切片ができる限り内方に向かって揺動するほうがよい。２つ目として、紙シートをその枚葉紙長さ全体にわたって支持できるようにするためには、外套切片ができるだけ長いほうがよい。この両方の要求を満たすことは設計上の問題であり、この問題についてのより良い理解のために、特許文献３の図１５と図１７およびその説明をここで援用する。
【０００４】
この問題を解決するために、特許文献３では、比較的長い外套切片の代わりに、２つの比較的短い外套切片をそれぞれ配置することが提案されている。
【０００５】
しかしこの解決法からは、次のような新たな問題点が生まれる。すなわち両方の短い外套切片は、外方に向かって揺動したときに、互いに向かい合う自由な切片端部が分離継目を形成する（特許文献３、図２参照）。そのとき、所与の製造誤差や、発生する摩擦その他の要因に基づいて、一方の外套切片の切片端部が、他方の切片端部を超えて半径方向へいくらか突き出して、紙シートの紙載せ面に囲まれた、いわば突出する突き合せエッジを形成する。この紙シート、もしくはその下面の印刷画像に、前述した突き合せエッジによって引っ掻き傷がつき、そのために紙シートが損紙になってしまうおそれがある。
【０００６】
弾性的なフィルムまたは布の形態の、可逆的に変形可能な紙載せ部材が記載、図示されている特許文献４（特許文献４の図６、符号６１を参照）、および、外套フィルムの形態の可逆的に変形可能な紙載せ部材が記載されている特許文献５は、突き合せエッジに関わる問題を解決する効果的な貢献を果たすことはできない。
【特許文献１】ドイツ特許明細書４４４２３０１Ｃ２
【特許文献２】ドイツ特許明細書１９９１２７０９Ｃ２
【特許文献３】欧州特許出願公開明細書１０１０５２６Ａ１
【特許文献４】ドイツ特許出願公開明細書１９６４４０１１Ａ１
【特許文献５】欧州特許出願公告明細書０７３４８５８Ｂ１
【発明の開示】
【発明が解決しようとする課題】
【０００７】
したがって、本発明の目的は、紙載せ面に囲まれた突き合せエッジの発生が防止されるか、または少なくとも、このような突き合せエッジが被印刷体枚葉紙に及ぼす不利な影響が許容可能な程度にまで抑えられる、バリオドラムのドラム断面形状を変える方法と、この方法を実施するのに適したバリオドラムを提供することである。
【課題を解決するための手段】
【０００８】
この目的は、請求項１の特徴を備える方法、および請求項３の特徴を備えるバリオドラムによって達成される。
【０００９】
バリオドラムの外套切片が内方および外方に向かって選択的に揺動する、被印刷体枚葉紙を搬送するためのバリオドラムのドラム断面形状を変える本発明の方法は、外套切片に付属する紙載せ部材を、外套切片の揺動によって可逆的に変形させることを特徴としている。
【００１０】
ドラム断面形状と、これを変えるために内方および外方に向かって選択的に揺動可能に支持された外套切片とを備える、被印刷体枚葉紙を搬送するための本発明のバリオドラムは、本発明による方法を実施するのに適しており、外套切片に、外套切片の揺動によって可逆的に変形可能なように構成、配置された紙載せ部材が付属していることを特徴としている。
【００１１】
本発明は、外套切片の揺動角を制限することなく、紙載せ部材によって外套切片を可撓に引き伸ばすことを可能にする。
【００１２】
外套切片が他の外套切片とともに分離継目（Ｔｒｅｎｎｆｕｇｅｎ）を形成している場合、紙載せ部材によって分離継目が覆われるので、分離継目、もしくは場合により存在するその突き合せエッジが、紙載せ部材の上に載っている被印刷体枚葉紙を傷つけることはなくなる。すなわち、分離継目と被印刷体枚葉紙の間に紙載せ部材があるので、被印刷体枚葉紙は、突き合せエッジによる引っ掻き傷から保護される。
【００１３】
それ以外の場合、紙載せ部材が、接合継目（Ｆｕｅｇｅｆｕｇｅｎ）を形成しながら、すなわち永続的に、外套切片と結合されることによって、前述した分離継目が紙載せ部材の使用により全面的に回避される。外套切片が内方に向かって揺動すると開き、外套切片が外方に向かって揺動すると再び閉じる分離継目とは異なり、接合継目は、継目幅が、外套切片が占めている揺動位置に応じて決まるのではなく、製造上の接合精度に応じて決まる継目である。紙載せ部材と外套切片は、場合により存在する突き合せエッジが平らに均されるように、すでに互いに接合された状態で、接合継目の領域で後処理することができる。たとえば、紙載せ部材と外套切片を接合継目の領域で一緒に研削して調整し、それにより、突出している突き合せエッジを削り取って平らにすることができる。さらに、たとえば調整研削の前に接合継目を適切な充填材料で封止し、それにより、不連続性のない理想的な紙載せ面をつくることができる。
【００１４】
本発明の方法および本発明のバリオドラムは、被印刷体枚葉紙を処理する機械、たとえば製本をする仕上処理機械のためのものであるが、まず第１に、被印刷体枚葉紙に印刷インキやニスを塗る枚葉印刷機のためのものである。
【発明を実施するための最良の形態】
【００１５】
次に、本発明の実施の形態について図面を参照して説明する。
【００１６】
内容的に共通している点をここでまとめて説明する図１から図８には、被印刷体枚葉紙を処理する機械１００，２００，３００，４００，５００，６００，７００，８００がそれぞれ部分図で示されている。この機械は、それぞれオフセット印刷ユニットやフレキソ印刷ユニットである少なくとも２つの印刷ユニットを備える枚葉輪転印刷機である。それぞれの部分図は、一方の印刷ユニットの圧胴と他方の印刷ユニットの圧胴との間に配置された、バリオドラム１０１，２０１，３０１，４０１，５０１，６０１，７０１，８０１と呼ばれる枚葉紙搬送胴を示している。このバリオドラムは、いわゆる２倍の大きさのドラムであり、実質的に菱形の断面形状をもつドラム基体１０２，２０２，３０２，４０２，５０２，６０２，７０２，８０２の直径上に配置された２つのくわえづめ装置１０３ａ，１０３ｂおよび２０２ａ，２０３ｂおよび３０３ａ，３０３ｂおよび４０３ａ，４０３ｂおよび５０３ａ，５０３ｂおよび６０３ａ，６０３ｂおよび７０３ａ，７０３ｂおよび８０３ａ，８０３ｂを含んでおり、被印刷体枚葉紙はくわえづめ装置に一時的に挟み込まれて保持され、これらのくわえづめ装置は、バリオドラム１０１〜８０１の回転時にその回転軸１０４，２０４，３０４，４０４，５０４，６０４，７０４，８０４を中心として、仮想的なくわえづめ飛行円１０５，２０５，３０５，４０５，５０５，６０５，７０５，８０５に沿って動く。
【００１７】
バリオドラム１０１〜８０１は、くわえづめ飛行円１０５〜８０５と実質的に同じ曲率半径を有していてシェル状に構成された、第１の外套切片１０６ａ，２０６ａ，３０６ａ，４０６ａ，５０６ａ，６０６ａ，７０６ａ，８０６ａと、第２の外套切片１０６ｂ，２０６ｂ，３０６ｂ，４０６ｂ，５０６ｂ，６０６ｂ，７０６ｂ，８０６ｂとを含んでいる。両方の外套切片の各々は、９０°から１２０°の間、特に９５°から１１５°の間のバリオドラムの外周角にわたって延びている。第１の外套切片１０６ａ〜８０６ａには第１の紙載せ部材１０７ａ，２０７ａ，３０７ａ，４０７ａ，５０７ａ，６０７ａ，７０７ａ，８０７ａが付属しており、第２の外套切片１０６ｂ〜８０６ｂには第２の紙載せ部材１０７ｂ，２０７ｂ，３０７ｂ，４０７ｂ，５０７ｂ，６０７ｂ，７０７ｂ，８０７ｂが付属している。
【００１８】
外套切片および紙載せ部材の各々は、バリオドラム１０１〜８０１の回転軸と平行な方向に見て、少なくとも、バリオドラム１０１〜８０１によって運ばれる被印刷体枚葉紙と同じ幅を有している。外套切片と紙載せ部材は、バリオドラムが最大限に合わせて設計される枚葉紙幅よりも、若干幅が広いのが好ましい。不安定な紙載せ部材とは逆に、設定された揺動位置に関わりなく円弧状の外周輪郭をずっと維持する外套切片は、剛性の高い形状安定的なシェルである。
【００１９】
第１の外套切片は第１の回転ジョイント１０８ａ，２０８ａ，３０８ａ，４０８ａ，５０８ａ，６０８ａ，７０８ａ，８０８ａを中心として、また、第２の外套切片は第２の回転ジョイント１０８ｂ，２０８ｂ，３０８ｂ，４０８ｂ，５０８ｂ，６０８ｂ，７０８ｂ，８０８ｂを中心として、それぞれ内方へ向かって、すなわち回転軸１０４，２０４，３０４，４０４，５０４，６０４，７０４，８０４に向かって、および外方へ向かって、すなわち前記回転軸から離れるように、選択的に揺動可能に支持されている。前述した両回転ジョイントの各々は、それぞれの外套切片の切片端部に、かつ、くわえづめ装置のそれぞれ１つの非常に近くに配置されている。
【００２０】
バリオドラムを作動させるために、両方の外套切片が第１の動作モード「板紙シートの搬送」で折り込まれているとき、外套切片とくわえづめ飛行円１０５，２０５，３０５，４０５，５０５，６０５，７０５，８０５の間には、被印刷体がバリオドラムから出ていくときに被印刷体枚葉紙の後縁が突入する、実質的に三日月形の自由空間がある。形状と長さが外套切片のそのつどの位置に応じて決まる紙載せ部材は、外套切片が内方に向かって揺動しているときは、同じく、くわえづめ飛行円から引き込まれており、その結果、第１の動作モードでは紙載せ部材はその名称のようには機能しない。
【００２１】
外套切片は、バリオドラムの第２の動作モード「紙シートの搬送」のときには外方に向かって揺動し、この第２の動作モードでは、紙載せ部材をくわえづめ飛行円と実質的に合同に保つ。第２の動作モードのとき、バリオドラムは、外套切片が第２の動作モードで占める位置によって規定される実質的に円形のドラム断面形状を有しており、その名称のように機能し、すなわち被印刷体枚葉紙を支持するために機能する。
【００２２】
図１から図８には、第１の外套切片が内側の揺動位置で、また第２の外套切片が外側の揺動位置で、それぞれ示されており、そのようにして、両方の外套切片の各々を位置調節することができる両方の揺動位置を図示している。この関連で、バリオドラムの作動時には両方の外套切片が互いに同じ揺動位置で常に保たれることは自明である。たとえば第１の動作モード「板紙シートの搬送」では、第１の外套切片１０６ａ，２０６ａ，３０６ａ，４０６ａ，５０６ａ，６０６ａ，７０６ａ，８０６ａだけでなく、図１から図８とは異なり、第２の外套切片１０６ｂ，２０６ｂ，３０６ｂ，４０６ｂ，５０６ｂ，６０６ｂ，７０６ｂ，８０６ｂも内側の揺動位置へと位置調節され、その結果、バリオドラムのドラム断面形状は実質的に長円形になる。
【００２３】
両方の紙載せ部材１０７ａ，１０７ｂおよび２０７ａ，２０７ｂおよび３０７ａ，３０７ｂおよび４０７ａ，４０７ｂおよび５０７ａ，５０７ｂおよび６０７ａ，６０７ｂおよび７０７ａ，７０７ｂおよび８０７ａ，８０７ｂは、その材料および／または表面構造（表面起伏）に基づき、印刷インキやニスを反発する作用を発揮する外側表面を有している。換言すれば、第１の紙載せ部材および第２の紙載せ部材の少なくとも外周側の表面は、裏移り防止表面である。第２の動作モードのとき、被印刷体枚葉紙は裏移りや汚れを生じることなく、印刷したばかりの紙面がこの裏移り防止表面の上に載る。
【００２４】
図面の説明の以上の個所は、図１から図８のすべて、すなわち本発明のすべての実施形態に共通する特徴に関わるものである。それに対して、図面の説明の以下の部分では各実施形態を個別に、またはグループごとに取り上げているので、各実施形態が互いにどの点で違っているのかが明瞭となる。
【００２５】
図１と図２に示す実施形態では、ドラム基体１０２および２０２と、第２の外套切片１０６ｂおよび２０６ｂと、第１の連結器１０９および２０９と、第２の連結器１１０および２１０と、第２の回転ジョイント１０８ｂおよび２０８ｂと、第３の回転ジョイント１１１および２１１と、第４の回転ジョイント１１２および２１２と、第５の回転ジョイント１１３および２１３とが、一緒になって４棒リンク機構を形成している。この４棒リンク機構では、第２の外套切片は、その前方の切片端部では第２の回転ジョイントを介して第１の連結器とリンク結合されるとともに、後方の切片端部では、第４の回転ジョイントを介して第２の連結器とリンク結合されている。両方の連結器は、第３の回転ジョイントおよび第５の回転ジョイントを介して、ドラム基体にピボット連結されている。
【００２６】
この４棒リンク機構は、周知のとおり傾動スキップ機構（Ｋｉｐｐｓｐｒｕｎｇｗｅｒｋ）（オーバセンタ機構）と近い類縁関係にある、いわゆる傾動クランプ機構（Ｋｉｐｐｓｐａｎｎｗｅｒｋ）として構成されている。この関連では、より良い理解のために、専門書”Ｋｏｎｓｔｒｕｋｔｉｏｎｓｅｌｅｍｅｎｔｅ  ｄｅｒ  Ｆｅｉｎｍｅｃｈａｎｉｋ”（精密機構の設計要素）（ＩＳＢＮ３４４６−１５３３２−２，Ｃａｒｌ−Ｈａｎｓｅｒ−Ｖｅｒｌａｇ出版社、ミュンヘン、ウィーン１９８９年、編者：Ｗｅｒｎｅｒ  Ｋｒａｕｓｅ）の５２３頁と５２４頁に傾動クランプ機構が図示されており、その典型的な特性が詳細に解説されていることを指摘しておく。図１と図２にそれぞれ示す傾動クランプ機構は、第１のばね１１４および２１４がいわゆる当接力を生成する、弾性作用のある機構である。傾動クランプ機構について普通であるように、傾動クランプ機構を当接力によって、下死点位置でも上死点位置でも選択的に保持するために、機構の死点（傾動位置）を超えたときに行われる、当接力（ばね力）の方向転換が利用される。
【００２７】
第１のばね１１４および２１４は螺旋状に巻かれた圧縮ばねであり、第２の連結器のロッド１１５および２１５に被せられている。このようなロッドとばねの組み合わせは、スプリングロッドと呼ばれる。第１のばねは、その一方のばね端部が第４の回転ジョイント１１２および２１２に、厳密に言えばロッド１１５および２１５のアイレットに支持され、反対側のばね端部が直進ジョイント１１６および２１６に、厳密に言えば軸受台に支持されることによって、第１のばねは初期荷重のもとでロッドに保持されている。このロッドは、直進ジョイント１１６および２１６を構成するために、ロッド長軸に沿って直線的にスライド可能に軸受台に差し込まれており、この軸受台は、第５の回転ジョイント１１３および２１３を介してドラム基体１０２および２０２とリンク結合されている。
【００２８】
傾動クランプ機構は、さらに、第１のストッパと第２のストッパを含んでおり、これら両方のストッパは図面には詳しくは示していない。第１のストッパはドラム基体に配置されており、第２の外套切片が外方に向かって揺動したときに反時計回りへ第３の回転ジョイント１１１および２１１を中心として行われる、第１の連結器１０９および２０９の揺動運動を制限し、もしくは、図１と図２にそれぞれ示す第１の連結器の最終位置を規定する役目をする。第２のストッパは、第１の連結器１０９および２０９に配置されており、第２の外套切片が外方に向かって揺動したときに第２の回転ジョイント１０８ｂおよび２０８ｂを中心として時計回りに行われる揺動運動を制限し、もしくは、図１と図２にそれぞれ示す第２の外套切片１０６ｂおよび３０６ｂの最終位置を規定する役目をする。
【００２９】
第１の外套切片１０６ａおよび２０６ａは、第２の外套切片１０６ａおよび２０６ｂがその構成要素である、先ほど詳細に説明した４棒リンク機構および傾動クランプ機構と構造が同じなので同じように詳細に説明する必要がない、バリオドラム１０１および２０１の別の４棒リンク機構および傾動クランプ機構の構成要素である。換言すると、図１と図２に関して左側のバリオドラムのドラム半分は、その右側のドラム半分に設計面で全面的に対応しており、両方のドラム半分は、回転軸１０４および２０４を基準とする１８０°の中心角だけ互いに角度的にずれて構成されている。仮想的な連結線１１７および２１７が、第４の回転ジョイント１１２および２１２の中心軸と、第５の回転ジョイント１１３および２１３の中心軸を通って延びており、ロッド１１５および２１５のロッド長軸と重なり合う。
【００３０】
この連結中心線が、その仮想的な延長線で、第２の回転ジョイント１０８ｂおよび２０８ｂと第３の回転ジョイント１１１および２１１の間を通って延びていない場合（換言すると、第１の連結器１０９および２０９と交わっていない場合）、その傾動クランプ機構は下死点位置または上死点位置にある。傾動クランプ機構がこの両方の位置（下死点位置、上死点位置）のどちらを占めているかは、第２の回転ジョイントと第３の回転ジョイントと第１の連結器とが連結中心線の一方の側にあるか他方の側にあるか、すなわち、図１と図２に関して連結中心線の右にあるか左にあるかによって決まる。
【００３１】
第２の外套切片が外側の揺動位置にあり、その際に、第１の回転ジョイントと第３の回転ジョイントと第１の連結器とが連結中心線の右側にあるときに、この傾動クランプ機構が下死点位置にあることが、第２の外套切片１０６ｂおよび２０６ｂを含んでいる傾動クランプ機構を例にとって図示されている。このとき連結中心線１１７および２１７は、バリオドラムに関して、およびそれぞれの外套切片に関して、実質的に半径方向を向いている。
【００３２】
第１の外套切片１０６ａおよび２０６ａを含む別の傾動クランプ機構を例にとって、第１の回転ジョイント１０８ａおよび２０８ａと、第１の外套切片に付属する連結器（スプリングロッド）とが連結線の左側にある、上死点位置が図示されている。この上死点位置では、それぞれの外套切片、つまり本例で言えば第１の外套切片１０６ａおよび２０６ａは、内側の揺動位置に位置調節されており、連結中心線はバリオドラムに関して、およびそれぞれの外套切片に関して、実質的に割線方向（ｓｅｋａｎｔａｌ）を向いている。第２の外套切片６ｂを含む傾動クランプ機構は、第１の連結器が第２の外套切片の揺動中に連結中心線と一直線上に並んだとき、もしくは、そのときに第２、第３、第４、および第５の回転ジョイントが同一の仮想的な直線上にあるとき、機構の死点（傾動位置）にある。この機構の死点では、第４の回転ジョイント１１２および２１２と、第５の回転ジョイント１１３および２１３との間隔が他の機構位置に比べてもっとも短くなり、それに伴って、第１のばね１１４および２１４はもっとも強く初期荷重をかけられ、もしくは圧縮される。
【００３３】
第１のばね１１４および２１４は、第２の外套切片１０６ｂが、第１の動作モードのときには内側の揺動位置もしくは上死点位置で、また第２の動作モードのときには外側の揺動位置もしくは下死点位置で、それぞれ確実に保持されるように配置されている。いわゆるスプリングロッドとも呼ぶことができる第１の連結器１０９および２０９は、先ほどの説明から明らかなように、長さが可変な連結器である。
【００３４】
外側の揺動位置にある第２の外套切片の、くわえづめ飛行円１０５および２０５と同心的な向きは、詳しくは図示しない固定装置によって保証される。この固定装置は、第１のばねによって引き起こされる、直進ジョイント１１６および２１６からのロッド１１５および２１５の抜け落ちを防ぎ、たとえば、直進ジョイントの軸受台から突き出しているロッド１１５，２１５のロッド端部に差し込まれ、軸受台のなかでロッドがスライドする過程で軸受台に突き当たり、それによってロッドの直進経路を制限する、横方向ピンで構成することができる。
【００３５】
紙載せ部材１０７ａ，１０７ｂおよび２０７ａ，２０７ｂは柔軟であり、胴張りに似ている。紙載せ部材は繊維材料、たとえば織物や毛皮材料（Ｖｌｉｅｓｓｔｏｆｆ）でできているのが好ましい。紙載せ部材１０７ａ，１０７ｂおよび２０７ａ，２０７ｂに特別に適しているのは、ＳｕｐｅｒＢｌｕｅの商標名で販売されている裏移り防止システムの被覆層を形成する織物である。
【００３６】
両方の紙載せ部材１０７ａ，１０７ｂおよび２０７ａ，２０７ｂの各々は、両方の外套切片１０６ａ，１０６ｂおよび２０６ａ，２０６ｂの他方を超えて張渡されており、その様子について第２の紙載せ部材１０７ｂおよび２０７ｂを例にとって以下に詳細に説明する。第２の紙載せ部材１０７ｂおよび２０７ｂは、その前方の胴張り端部が、第１の方向転換部材１１８および２１８を介して第２のばね１１９および２１９の方に向かって方向転換されており、また後方の胴張り端部は、第２の方向転換部材１２０および２２０を介して、第３のばね１２１および２２１の方に向かって方向転換されている。いま挙げた両方のばね１１９，１２１および２１９，２２１の各々は多重の配置で、すなわち回転軸１０４および２０４と平行なばね列として、配置されている。両方のばね１１９，１２１および２１９，２２１は引張ばねであり、一方のばね端部が第２の外套切片１０６ｂおよび２０６ｂに、厳密に言えばその内面に取り付けられ、他方のばね端部は、それぞれ方向転換した胴張り端部に初期荷重のもとで取り付けられている。第２の外套切片１０６ｂおよび２０６ｂの下側に胴軸に平行な２つのばね列として配置されたばね１１９，１２１および２１９，２２１は、第２の紙載せ部材１０７ｂおよび２０７ｂを、第２の外套切片の上に弛みなく張られた状態に保つ。第２の方向転換部材１２０および２２０は、外套切片の、バリオドラムの回転方向に見て後方にある、第２の切片端部に回転可能に取り付けられた方向転換ロールであり、判型幅全体にわたって延びている。第２の方向転換部材１２０および２２０は、方向転換ロールに代えて方向転換ロッドであってもよい。
【００３７】
第１の実施形態の第１の方向転換部材１１８は、図１に見えるように、レバー状の帯板１２２を介してくわえづめ装置１０３ｂにピボット連結されているが、それに代えて、帯板１２２を介してドラム基体１０２にピボット連結されていてもよい。第１の方向転換部材１１８は、第２の方向転換部材１２０とまったく同じく、回転軸１０４と平行に、第２の外套切片１０６ｂの幅全体にわたって延びており、第２の紙載せ部材１０７ｂの幅全体にわたっても延びている。第１の方向転換部材１１８は、帯板１２２に回転可能に支持されたロールであり、それに代えてロッドであってもよい。
【００３８】
第２の紙載せ部材１０７ｂは、第２の外套切片１０６ｂの前方の切片端部から第１の方向転換部材１１８まで達する自立した区域１２３を有している。自立した区域１２３の領域では、第２の紙載せ部材は下側で支持されておらず、すなわちドラム内部から支持されていない。自立した区域１２３の直線状の張り渡しによってこの領域で引き起こされる、第２の動作モードで望まれる理想的な円形と、バリオドラム１０１のドラム断面形状の外側輪郭との食い違いは、自立した区域１２３の長さが第２の外套切片１０６ｂの円弧長さに比べて短いので機能を損なうことはなく、したがって容認することができる。
【００３９】
第２の実施形態（図２参照）では、第１の方向転換部材２１８は、第３の外套切片２２２が内方と外方に向かって揺動可能に支承された回転ジョイントの、長くされたジョイントピンである。第２の外套切片２０６ｂに第３の外套切片２２２が付属しているのと同様に、第１の外套切片２０６ａにも、第３の外套切片２２２と構造的、機能的に同じである第４の外套切片２２３が付属している。第３の外套切片２２２はシェル状であり、第３の外套切片２２２の外側の外周面は、第２の外套切片２０６ｂの外周面と同じ曲率半径を有している。第３の外套切片２２２をくわえづめ装置２０３ｂにピボット連結し、それに代えてドラム基体２０２にピボット連結していてもよい、第１の方向転換部材２１８を含む回転ジョイントは、第３の外套切片２２２の、バリオドラムの回転方向に見て前方にある切片端部に設けられている。第２の動作モードを実現するために外套切片２０６ｂ，２２２が両方とも外方に向かって揺動するとすぐに、第３の外套切片２２２の後方の切片端部は、第２の外套切片２０６の前方の切片端部とともに分離継目２２４を形成する。しかしこの分離継目２２４は、第２の動作モードのときに第２の紙載せ部材２０７ｂの上に載る、分離継目２２４にわたって延びる被印刷体枚葉紙（図示せず）を損なうことはない。なぜなら、第２の紙載せ部材２０７ｂが被印刷体枚葉紙と分離継目２２４の間に分離継目２２４を超えて延び、それによって分離継目２２４を覆うからである。第２の紙載せ部材２０７ｂは、互いに付属する両方の外套切片２０６ｂ，２２２を超えて張り渡されている。互いに付属する両方の外套切片２０６ｂ，２２２が、第１の動作モードを実現するために内方に向かって揺動すると、これらの外套切片の間には、互いに付属する他の両方の外套切片２０６ａ，２２３を例にとって図２に示しているように、重なり合い２２５が生じる。ばね２１９，２２１は、外套切片２０６ｂ，２２２が内方に向かって揺動したときでも、紙載せ部材が弛みなく張られるように働く。両方の外套切片２０６ｂ，２２２が外方に向かって揺動すると、両方の外套切片の重なり合いはなくなり、それに伴ってばね２１９，２２１の荷重が増す。
【００４０】
第３の外套切片２２２と第４の外套切片２２３は、図示した実施形態とは異なり、判型幅の範囲外に配置され、各紙載せ部材２０７ａおよび２０７ｂが間で自立する区域を形成する２つのレバーからなる、レバーの組としてそれぞれ構成されていてもよい。
【００４１】
図３から図８に示す実施形態では、円環状の調節部材３０９，４０９，５０９，６０９，７０９，８０９が、回転軸３０４，４０４，５０４，６０４，７０４，８０４と同軸に、かつドラム基体３０２，４０２，５０２，６０２，７０２，８０２に対して相対的に回転可能なように、ドラム基体に支持されている。第１の連結器３１０ａ，４１０ａ，５１０ａ，６１０ａ，７１０ａ，８１０ａは、その一方の端部で調節部材と回転ジョイント式に連結され、他方の連結器端部では、第１の外套切片３０６ａ，４０６ａ，５０６ａ，６０６ａ，７０６ａ，８０６ａにピボット連結されている。同様にして、第２の連結器３１０ｂ，４１０ｂ，５１０ｂ，６１０ｂ，７１０ｂ，８１０ｂは、その一方の連結器端部で調節部材にピボット連結され、他方の連結器端部では、第２の外套切片３０６ｂ，４０６ｂ，５０６ｂ，６０６ｂ，７０６ｂ，８０６ｂに回転ジョイント式に連結されている。第１および第２の連結器は、回転ジョイント３０８ａ，３０８ｂおよび４０８ａ，４０８ｂおよび５０８ａ，５０８ｂおよび６０８ａ，６０８ｂおよび７０８ａ，７０８ｂおよび８０８ａ，８０８ｂと反対を向いているほうの切片端部で、外套切片と連結されている。両方のドラム半分がそれぞれ互いに異なる設定状態で図示されている図３から図８からは容易に明らかではないものの、第１および第２の連結器は、実際には、互いに直径上のピボット連結点で調節部材にピボット連結されており、その結果、図３から図８に関して時計回りに行われる、回転軸を中心とした調節部材の回転は、外套切片の同期した押し広げ（Ａｕｓｋｌａｐｐｅｎ）を引き起こし、これと反対の回転方向に行われる調節部材の回転は、外套切片の同期した折り込みを引き起こす。このように中央の調節部材によって、両方のドラム半分を、調節部材の回転方向に応じて同時に広げたり縮めたりすることができる。
【００４２】
図３と図４に示す実施形態では、第３の連結器３１１ａおよび４１１ａ、および第４の連結器３１１ｂおよび４１１ｂが、第１および第２の連結器に対してずれた状態で、かつ互いに直径上で、調節部材３０９および４０９にピボット連結されている。さらに、第１のロッカーアーム３１２ａおよび４１２ａと第２のロッカーアーム３１２ｂおよび４１２ｂが、その内側に位置するロッカーアーム端部で、互いに直径上でドラム基体３０２および４０２にピボット連結されている。第３の連結器と第１のロッカーアームは、その外側に位置する端部で、第３の回転ジョイント３１３ａおよび４１３ａを介して互いに連結されている。同様に、第４の連結器と第２のロッカーアームも、第４の回転ジョイント３１３ｂおよび４１３ｂを介して互いにピボット連結されている。第３および第４の連結器３１１ａ，３１１ｂおよび４１１ａ、４１１ｂ、ならびに両方のロッカーアーム３１２ａ，３１２ｂおよび４１２ａ，４１２ｂは、調節部材３０９および４０９に合わせて調節された湾曲をそれぞれ有しており、連結器とロッカーアームのこの湾曲は、連結器３１１ａ、３１１ｂおよび４１１ａ，４１１ｂと両方のロッカーアーム３１２ａ，３１２ｂおよび４１２ａ，４１２ｂが第１の動作モードで内方に向かって折り込まれたときに、調節部材の湾曲と同心であり、ロッカーアームの凹面状の内面は、図３と図４に第１のロッカーアームを例にとって図示しているように、調節部材の凸面状の外面に正しい見当で載る。調節部材、第３の連結器、および第１のロッカーアームは、一緒になって第１の４棒リンク機構を形成しており、調節部材がその駆動ロッカーアームとして機能する。調節部材は、調節部材、第４の連結器、および第２のロッカーアームによって一緒に形成される第２の４棒リンク機構の駆動ロッカーアームとしても機能する。外套切片３０６ａ，３０６ｂおよび４０６ａ，４０６ｂは、被印刷体枚葉紙が有することができる、バリオドラムに最大限許容される印刷長さよりは短いものの、紙載せ部材３０７ａ，３０７ｂおよび４０７ａ，４０７ｂによって、少なくとも印刷端部３１４および４１４までは延長される（このことは、図５から図８に示す他の実施形態の外套切片と紙載せ部材についても比喩的な意味で当てはまる）。
【００４３】
第１の紙載せ部材３０７ａおよび４０７ａは、第１の外套切片３０６ａおよび４０６ａを、実質的にその切片長さ全体にわたり、第１の回転ジョイント３０８ａおよび４０８ａから後方の切片端部３１５ａおよび４１５ａまで覆っており、この切片端部を超えて、第３の連結器３１１ａと第１のロッカーアーム３１２ａの互いにピボット連結された端部まで、すなわち第３の回転ジョイント３１３ａまで延びている。第１の紙載せ部材３０７ａおよび４０７ａは、たとえば、第１の外套切片３０６ａおよび４０６ａに接着することができ、あるいは、その他の方法で外套切片の上に取り付けることができる。第２の回転ジョイント３０８ｂおよび４０８ｂから後方の切片端部３１５ｂおよび４１５ｂまで、実質的に第２の外套切片３０６ｂおよび４０６ｂの全体にわたって長手方向に延びるだけでなく、切片端部３１５ｂおよび４１５ｂから突き出して、第４の回転ジョイント３１３ｂａおよび４１３ｂにまで達する第２の紙載せ部材３０７ｂおよび４０７ｂは、第２の外套切片に接着剤等で取り付けられている。両方の紙載せ部材３０７ａ，３０７ｂおよび４０７ａ，４０７ｂは板ばねに似た柔軟な構成であり、たとえばばね鋼板や、曲げ弾性のあるプラスチックフィルムである。この紙載せ部材の上には、印刷インキをはじく裏移り防止表面が、紙載せ部材のコーティング（たとえば無光沢クロムめっきや構造クロムめっき）の形態で、または紙載せ部材に取り付けられた繊維の胴張り（たとえばＳｕｐｅｒＢｌｕｅ）の形態で設けられる。４棒リンク機構の各ジョイントのジョイント間隔は、これに応じて相互に寸法決めされているので、紙載せ部材の、外套切片の位置調節時に可逆的に変形する区域（変形区域）は、図３と図４に第２の紙載せ部材３０７ｂおよび４０７ｂを例にとって示すように、紙載せ部材と外套切片がドラム中心から遠い位置へ位置調節されたときは、くわえづめ飛行円３０５および４０５と実質的に合同に湾曲した状態に保たれ、それに対して、第１の紙載せ部材３０７ａおよび４０７ａを例にとって図面に示すように、紙載せ部材と外套切片がドラム中心に近い位置へ位置調節されたときは、はるかに強く湾曲した状態に保たれる。紙載せ部材の変形区域は、第１および第２の連結器を外套切片と連結する回転ジョイントの周辺で始まり、第３および第４の回転ジョイントの周辺で終わっている。
【００４４】
図３の第３の実施形態では、変形区域は、その自己剛性と初期荷重だけで、すなわち下面からの支持なしに、第２の動作モードのためにくわえづめ飛行円３０５と実質的に合同な設定位置を維持する。つまり、変形区域は自立している。
【００４５】
これに対して、図４の第４の実施形態では、第３の外套切片４１６ａと第４の外套切片４１６ｂがロッカーアーム４１２ａ，４１２ｂに、端部側に配置されている。
【００４６】
これに代えて、第３および第４の外套切片は、図示している実施形態とは異なり、第３の連結器４１１ａおよび第４の連結器４１１ｂに端部側で配置されていてもよいであろう。
【００４７】
図４の４棒リンク機構によって支持される外套切片４１６ａ，４１６ｂは、変形区域のほぼ半分の長さであり、したがって、他の両方の外套切片４０６ａ，４０６ｂよりもはるかに短く、これに応じて湾曲している。第１の動作モード「板紙シートの搬送」のためにバリオドラムが収縮したとき、第３および第４の外套切片は第１および第２の外套切片と重なり合い、これらの下側にくる。第２の動作モード「紙シートの搬送」のためにバリオドラムが拡張されると、第３および第４の外套切片の前縁が、第１および第２の外套切片の後方の切片端部４１５ａ，４１５ｂとともに分離継目を形成するが、この分離継目は、紙載せ部材およびその変形区域によって外側で覆われるので、被印刷体枚葉紙の印刷画像にマーキングを生じさせることはない。第３の外套切片４１６ａと第４の外套切片４１６ｂは、円周方向に見て、他の両方の外套切片４０６ａ，４０６ｂよりも短く、変形区域を形状を安定させる役目を果たし、判型幅全体にわたって延びている。
【００４８】
ただし、この最後の事項はあらゆる場合に必要なわけではない。紙載せ部材の自己剛性が十分にあれば、第３および第４の外套切片は、紙載せ部材をその側縁の領域でのみ下側で支持する支持フレームとして構成されていればよく、その場合には、当然、この支持フレームは判型幅よりはるかに短いからである。
【００４９】
第３および第４の実施形態では、紙載せ部材３０７ａ，３０７ｂおよび４０７ａ，４０７ｂは、図面に示している技術的解決法とは異なり、切片端部３１５ａ，３１５ｂおよび４１５ａ，４１５ｂに付加されていてもよく、したがって、外套切片をまったく覆わないように、もしくは不完全にしか覆わないように、配置されていてもよい。この場合、たとえば切片端部３１５ａ，３１５ｂおよび４１５ａ，４１５ｂの領域に生じる接合継目は、接着剤等を注入ししてから調整研削することができ、あるいは、紙載せ部材を外套切片と接合した後にその他の方法で後処理して、後処理された接合継目が、やはり印刷画像にマーキングを生じさせることがないようにする。
【００５０】
第５から第８の実施形態の紙載せ部材５０７ａ，５０７ｂおよび６０７ａ，６０７ｂおよび７０７ａ，７０７ｂおよび８０７ａ，８０７ｂも板ばねに似ており、すなわち曲げ弾性的に構成されている。この紙載せ部材は、ばね鋼板や柔軟なプラスチックフィルムであってよく、インキをはじく裏移り防止外面を備えている。紙載せ部材は、剥がれないように相互に塗布され、最も外側の層（被服層）がインキを反発する材料特性および／または構造特性を有する、複数の層でできていてよい。それに代えて紙載せ部材は、緩やかに上下に積み重ねられ（サンドイッチ構造）、最も外側の層（被覆層）が同じく前述したインキを反発する特性を有する、複数の層でできていてもよい。外套切片と接着され、もしくはその他の方法で堅固に結合されている紙載せ部材は、その下にある外套切片５０６ａ、５０６ｂおよび６０６ａ、６０６ｂおよび７０６ａ、７０６ｂおよび８０６ａ、８０６ｂを実質的に完全に覆うが、それに代えて、後処理によって平らに均される接合継目を形成させながら、外套切片の後方の切片端部に突き合せて接合することもできる。円形のドラム断面形状を規定するために、外套切片が外方に向かって揺動した場合、紙載せ部材の変形区域５１１ａ，５１１ｂおよび６１１ａ，６１１ｂおよび７１１ａ，７１１ｂおよび８１１ａ，８１１ｂは、くわえづめ飛行円５０５，６０５，７０５，８０５と実質的に一致する。このとき変形区域は、くわえづめ飛行円に合った円弧形状を自立式に維持する。変形区域の外方へのこのような湾曲は、変形区域がそれぞれ一方の端部では相応の外套切片によって保たれ、他方の端部ではバリオドラムの他の部材によって保たれる初期荷重に基づいて得られ、および、紙載せ部材と変形区域の自己剛性や自己安定性に基づいて得られるものである。つまり上に説明したこととの関連で、図５から図８に示す実施形態については、図３と図４に示す実施形態についてと同じことが当てはまる。ただし図５から図８に示す実施形態は、以下に詳しく説明するいくつかの重要な特徴に関して、図３および図４の実施形態と違っている。
【００５１】
図５と図６に示す第５および第６の実施形態では、第１の紙載せ部材５０７ａおよび６０７ａもしくはその変形区域５１１ａおよび６１１ａを例にとって図面に示しているように、外套切片と紙載せ部材が内方に向かって揺動したときの変形区域の湾曲が、外套切片と紙載せ部材が外方に向かって揺動したときよりも小さい。各変形区域の湾曲と初期荷重の強さを規定する部材は、第５の実施形態では、第６の実施形態の場合とは別の部材である。
【００５２】
第５の実施形態では、この部材はカム軌道５１２ａ，５１２ｂであり、このカム軌道に沿って、紙載せ部材の後縁と、紙載せ部材に配置された、すなわち取り付けられ、もしくは一体成形されたカム従動部材５１３ａ，５１３ｂとが、紙載せ部材の位置調節時に強制的に案内される。カム軌道は回転軸５０４の方に向かって凸面状に湾曲しており、くわえづめ飛行円５０５に対して相対的に、すなわちドラム周囲の線に対して相対的に、カム軌道の終点５１５ａ，５１５ｂ；５１６ａ，５１６ｂとは異なる（長い）距離を有する方向転換点５１４ａ，５１４ｂを、ほぼ中央部に有している。カム軌道は、ドラムの軸方向、すなわち図５の紙面に対して垂直方向に、紙載せ部材および外套切片に対してずれた状態でこれらの隣に、すなわち、最大限許容される枚葉紙判型幅の範囲外に配置され、たとえばジャーナル５１７を介して回転不能にドラム基体５０２と結合されたリンク機構（図示せず）に設けられたカム溝（Ｋｕｒｖｅｎｎｕｔ）である。カム従動部材は、カム溝の中を走行するカムロールであり、これに代えてピン状の摺動ブロックであってもよい。カム軌道の両方の終点は、カム従動部材にとってのストッパ面である。図５には一例として、それぞれ他のドラム半分について比喩的な意味で該当するように、紙載せ部材が内方に向かって位置調節されると、カム従動部材が、ドラム回転方向に見てずっと後方にあるストッパ面（終点５１６ａ，５１６ｂ）に当接し、紙載せ部材が外方に向かって位置調節されると、前側のストッパ面（終点５１５ａ，５１５ｂ）に当接することが示されている。カム従動部材５１３ａ，５１３ｂ、およびこれを支持する紙載せ部材の後端は、その初期荷重に基づき、そのつど選択された設定状態に対応するほうの終点で保持される。外套切片の位置調節が外方または内方に向かって行われている間、カム従動部材はカム軌道に沿って一方の終点から他方の終点まで摺動または転動し、そのとき、方向転換点（「傾動点」）５１４ａ，５１４ｂでは、カム従動部材に及ぼされる紙載せ部材のばね力の力作用の方向転換が行われ、すなわち、一方の傾動クランプ機構または傾動スキップ機構（オーバセンタ機構）に匹敵する、伝動学システムの傾動が行われる。
【００５３】
第６の実施形態（図６参照）では、変形区域６１１ａ，６１１ｂの初期荷重と湾曲を規定する前記部材は、調節部材６０９およびドラム基体６０２に対して相対的に回転軸６０４を中心として同軸に回転可能なようにドラム基体に支持された中央のロッカーアーム６１２である。このロッカーアーム６１２は、調節部材６０９と同心に回転可能なように支持されたロッカーアーム６１２の軸受リング６１４に、互いに直径上で配置された２つの支持アーム６１３ａ，６１３ｂを有している。両方のドラム半分の各々を位置調節することができる両方のドラム断面形状設定を明示するためにのみ図６で選択している図面の描き方では容易に認識することができないが、両方の支持アーム６１３ａ，６１３ｂは、実際には１８０°だけ互いにオフセットされた状態で配置され、相互に一直線上に並ぶような方向を向いている。支持アーム６１３ａ，６１３ｂは、軸受リング６１４に溶接されるか、またはそれに代えて軸受リング６１４とともに１つの材料から製作されていてよく、それによって軸受リング６１４と不動に（リンク式にではなく）結合されている。紙載せ部材６０７ａ，６０７ｂはその後縁のところで、第３の回転ジョイント６１５ａと第４の回転ジョイント６１５ｂを介してロッカーアーム６１２と連結されており、もしくは支持アーム６１３ａ，６１３ｂの端部と連結されている。調節部材とロッカーアームは、ドラム断面形状が大きくなるときには、共通の回転方向もしくは揺動方向（図６に関しては時計回り）へ位置調節され、ドラム断面形状が小さくなるときには反対方向へ位置調節される。外套切片を折り込んだり、押し広げる目的のために調節部材６０９が位置調節される回転角は、紙載せ部材を位置調節する目的でロッカーアーム６１２が揺動する揺動角よりも大きい。ドラム断面形状を拡大する目的で行われる調節部材６０９およびロッカーアーム６１２の位置調節の場合にも、ドラム断面形状を小さくする目的で行われるこれらの位置調節の場合にも、調節部材６０９にピボット連結された連結器６１０ａ、６１０ｂの連結器端部は、支持アーム６１３ａ，６１３ｂとその回転ジョイント６１５ａ、６１５ｂを「追い越し」、位置調節方向に応じて連結器６１０ａ，６１０ｂを折り込んだり、押し広げたりする。ただし支持アーム６１３ａ，６１３ｂは、この位置調節のとき、実質的に半径方向の向きを維持する。位置調節に伴って進行する、支持アーム６１３ａ，６１３ｂに対して相対的な連結器６１０ａ、６１０ｂの位置のこのような変化の結果、変形区域６１１ａ，６１１ｂは所要の形態で湾曲し、初期荷重をかけられる。
【００５４】
図７と図８に示す実施形態では、変形区域７１１ａおよび８１１ａを例にとって図示しているように、両方の紙載せ部材７０７ａ，７０７ｂおよび８０７ａ，８０７ｂが両方の外套切片７０６ａ，７０６ｂおよび８０６ａ，８０６ｂとともに内方に向かって位置調節されたとき、変形区域７１１ａ，７１１ｂおよび８１１ａ，８１１ｂは凹面状に内方へ向かって、かつ比較的大きく湾曲しており、それ以外の場合には、他方の変形区域７１１ｂおよび８１１ｂを例にとって図示するように比較的小さく、すなわちくわえづめ飛行円７０５および８０５に合わせて、凸面状に湾曲している。紙載せ部材およびその変形区域は、紙載せ部材が相応に位置調節される過程で、凸面状の形態から凹面状の形態へ、および凹面状の形態から凸面状の形態へ再び戻るように、一挙に転換する。紙載せ部材７０７ａ，７０７ｂおよび８０７ａ，８０７ｂは、外套切片７０６ａ，７０６ｂおよび８０６ａ，８０６ｂの実質的に枚葉紙長さ全体にわたってこれと接着され、もしくはその他の方法で結合されており、すなわち、外套切片の後方の切片縁部に至るまで結合されている。外套切片の揺動によって、変形区域が強制的に凹面形状と凸面形状に曲がるようにするために、紙載せ部材はその後縁のところで、第３の回転ジョイント７１２ａおよび８１２ａと、第４の回転ジョイント７１２ｂおよび８１２ｂとを介して、それぞれ保持部材に取り付けられている。両方の保持部材は、たとえばバリオドラムの（図示しない）側面プレートの表面または内部に配置されたジョイントによって、ドラム基体７０２および８０２に対して相対的に位置調節可能なように配置されている。
【００５５】
第７の実施形態では、保持部材はスライダ７１３ａ，７１３ｂであり、ジョイントは、くわえづめ飛行円７０５と同心に進む、円弧状の溝をもつ直進ジョイント７１４ａ，７１４ｂであり、この溝の中でスライダ７１３ａ，７１３ｂが、凸面状の変形区域撓曲を保持するためにスライダのストッパとしての役目をする溝端部から、同じく凹面状の変形区域撓曲を保持するためにスライダのストッパとしての役目をする反対側の溝端部まで摺動し、または特に回転する。
【００５６】
第８の実施形態では、保持部材はレバー８１３ａ，８１３ｂであり、それに応じてジョイントは、第５の回転ジョイント８１４ａおよび第６の回転ジョイント８１４ｂであり、これらの回転ジョイント８１４ａ，８１４ｂを介して、レバーが前述した側面プレートに揺動可能に支持されている。
【００５７】
最後に、詳しくは図示しないいくつかの変形例について簡単に触れておく。図３，４，７および８に示す実施形態では、紙載せ部材はいわゆるフレックス刻み目（Ｆｌｅｘｋｅｒｂｅｎ）、すなわちコード素材（Ｃｏｒｄ−Ｓｔｏｆｆ）に似た刻み目や、段ボール紙に似た条溝を備えていてよく、この溝や条溝はドラム回転軸と平行に、すなわち前述した図面の紙面に対して垂直に縦方向へ延びており、その結果、紙載せ部材の柔軟性と剛性が方向依存的になる。つまり、このような断面形状をもつ紙載せ部材は、ドラム回転軸と平行な方向では比較的大きい曲げ剛性があり、ドラム軸と垂直な方向では比較的大きい柔軟性がある。換言すると、比較的大きい力の負担なしに、紙載せ部材を図面の紙面で湾曲させることができ、紙載せ部材は、このように曲げ剛性が方向依存的に弱いにもかかわらず、被印刷体枚葉紙の判型幅の方向に必要な曲げ剛性もしくは安定性を維持する。最後に、メアンダ状の溝（条溝）または歯に似た溝（刻み目）を備える紙載せ部材を、外套切片の代わりに用いることも考えられる。この場合には、バリオドラムは少なくとも部分的に変形可能な紙載せ部材だけを含み、全面的に剛性の大きい外套切片は含まないことになり、紙載せ部材は、図示した実施形態で外套切片のために設けられた、くわえづめ装置にすぐ隣接する回転ジョイントにピボット連結されることになる。
【図面の簡単な説明】
【００５８】
【図１】紙載せ部材が柔軟で胴張りに似ており、外套切片を外側で覆うように配置され、ばねによって張力をかけられる第１の実施形態を示す図である。
【図２】紙載せ部材が柔軟で胴張りに似ており、外套切片を外側で覆うように配置され、ばねによって張力をかけられる第１の実施形態を示す図である。
【図３】紙載せ部材が曲げ弾性を備えていて板ばねに似ている、第３の実施形態を示す図である。
【図４】紙載せ部材が曲げ弾性を備えていて板ばねに似ている、第４の実施形態を示す図である。
【図５】紙載せ部材が自立式の変形区域を有しており、この変形区域によってドラム断面形状が規定される、第５の実施形態を示す図である。
【図６】紙載せ部材が自立式の変形区域を有しており、この変形区域によってドラム断面形状が規定される、第６の実施形態を示す図である。
【図７】外套切片が内方に向かって揺動すると紙載せ部材が凹面状になり、外套切片が外方に向かって揺動すると紙載せ部材が凸面状になる、第７の実施形態を示す図である。
【図８】外套切片が内方に向かって揺動すると紙載せ部材が凹面状になり、外套切片が外方に向かって揺動すると紙載せ部材が凸面状になる、第８の実施形態を示す図である。
【符号の説明】
【００５９】
１０１，２０１，３０１，４０１，５０１，６０１，７０１，８０１  バリオドラム
１０２，２０２，３０２，４０２，５０２，６０２，７０２，８０２  ドラム基体
１０３ａ，１０３ｂおよび２０２ａ，２０３ｂおよび３０３ａ，３０３ｂおよび４０３ａ，４０３ｂおよび５０３ａ，５０３ｂおよび６０３ａ，６０３ｂおよび７０３ａ，７０３ｂおよび８０３ａ，８０３ｂ  くわえづめ装置
１０４，２０４，３０４，４０４，５０４，６０４，７０４，８０４  回転軸
１０５，２０５，３０５，４０５，５０５，６０５，７０５，８０５  くわえづめ飛行円
１０６ａ，２０６ａ，３０６ａ，４０６ａ，５０６ａ，６０６ａ，７０６ａ，８０６ａ  第１の外套切片
１０６ｂ，２０６ｂ，３０６ｂ，４０６ｂ，５０６ｂ，６０６ｂ，７０６ｂ，８０６ｂ  第２の外套切片
１０７ａ，２０７ａ，３０７ａ，４０７ａ，５０７ａ，６０７ａ，７０７ａ，８０７ａ  第１の紙載せ部材
第２の紙載せ部材１０７ｂ，２０７ｂ，３０７ｂ，４０７ｂ，５０７ｂ，６０７ｂ，７０７ｂ，８０７ｂ
１０８ａ，２０８ａ，３０８ａ，４０８ａ，５０８ａ，６０８ａ，７０８ａ，８０８ａ  第１の回転ジョイント
１０８ｂ，２０８ｂ，３０８ｂ，４０８ｂ，５０８ｂ，６０８ｂ，７０８ｂ，８０８ｂ  第２の回転ジョイント
１０９，２０９  第１の連結器
３０９，４０９，５０９，６０９，７０９，８０９  調節部材
１１０，２１０  第２の連結器
３１０ａ，４１０ａ，５１０ａ，６１０ａ，７１０ａ，８１０ａ  第１の連結器
１１１，２１１  第３の回転ジョイント
３１１ａ，４１１ａ  第３の連結器
３１１ｂ，４１１ｂ  第４の連結器
５１１ａ，５１１ｂ，６１１ａ，６１１ｂ，７１１ａ，７１１ｂ，８１１ａ，８１１ｂ  変形区域
１１２，２１２  第４の回転ジョイント
３１２ａ，４１２ａ  第１のロッカーアーム
３１２ｂ，４１２ｂ  第２のロッカーアーム
５１２ａ，５１２ｂ  カム軌道
６１２  中央のロッカーアーム
７１２ａ，８１２ａ  第３の回転ジョイント
７１２ｂ，８１２ｂ  第４の回転ジョイント
１１３，２１３  第５の回転ジョイント
３１３ａ，４１３ａ  第３の回転ジョイント
３１３ｂ，４１３ｂ  第４の回転ジョイント
５１３ａ，５１３ｂ  カム従動部材
６１３ａ，６１３ｂ  支持アーム
７１３ａ，７１３ｂ  スライダ
８１３ａ，８１３ｂ  レバー
１１４，２１４  第１のばね
３１４，４１４  印刷端部
５１４ａ，５１４ｂ  方向転換点
６１４  軸受リング
７１４ａ，７１４ｂ  直進ジョイント
８１４ａ  第５の回転ジョイント
８１４ｂ  第６の回転ジョイント
１１５，２１５  ロッド
３１５ａ，４１５ａ  後方の切片端部
３１５ｂ，４１５ｂ  後方の切片端部
５１５ａ，５１５ｂ，  終点
１１６，２１６  直進ジョイント
４１６ａ  第３の外套切片
４１６ｂ  第４の外套切片
５１６ａ，５１６ｂ  終点
６１５ａ  第３の回転ジョイント
６１５ｂ  第４の回転ジョイント
１１７，２１７  連結中心線
５１７  ジャーナル
１１８，２１８  第１の方向転換部材
１１９，２１９  第２のばね
１２０，２２０  第２の方向転換部材
１２１，２２１  第３のばね
１２２  帯板
１２３  自立式の区域
２２４  分離継目
２２５  重なり合い
【図１】
2004203045.tif 000003
【図２】
2004203045.tif 000004
【図３】
2004203045.tif 000005
【図４】
2004203045.tif 000006
【図５】
2004203045.tif 000007
【図６】
2004203045.tif 000008
【図７】
2004203045.tif 000009
【図８】
2004203045.tif 000010